(57)【要約】【課題】対象部を明確に指し示しつつ、その周辺の明るさを確保することができる車両用照射装置を提供する。【解決手段】車両用照射装置１は、第１照射部２と第２照射部３と制御部４とを備える。第１照射部２によって照射対象部に対して光を照射することで、対象部を明確に指し示すことができる。このとき、第１照射部２とは別体の第２照射部３によって、照射対象部を含みつつ第１照射部２よりも広範囲に光を照射することにより、対象部周辺の明るさを確保することができる。【選択図】図１
2020121609.tif 000002
【特許請求の範囲】
【請求項１】
車室内の照射対象部に対して光を照射する第１照射部と、
前記照射対象部を含みつつ前記第１照射部よりも広範囲に光を照射する第２照射部と、
前記第１照射部および前記第２照射部を制御する制御部と、を備えることを特徴とする車両用照射装置。
【請求項２】
前記第１照射部は、光を照射しつつ照射形状と照射位置と照射範囲とのうち少なくとも１つを可変に構成されていることを特徴とする請求項１に記載の車両用照射装置。
【請求項３】
前記制御部は、前記照射対象部が操作された際に、操作内容に応じて前記第１照射部の照射形状と照射位置と照射範囲とのうち少なくとも１つを変化させることを特徴とする請求項２に記載の車両用照射装置。
【請求項４】
前記第１照射部は、複数色の光を照射可能に構成され、
前記制御部は、前記照射対象部の形状に応じて色分けするように前記第１照射部に光を照射させることを特徴とする請求項１〜３のいずれか１項に記載の車両用照射装置。
【請求項５】
複数の照射対象部およびその順序を記憶する記憶部をさらに備え、
前記制御部は、前記第１照射部によって光が照射された照射対象部に対して所定の操作がなされた際に、次の照射対象部に切り換えて前記第１照射部に光を照射させることを特徴とする請求項１〜４のいずれか１項に記載の車両用照射装置。
【請求項６】
前記複数の照射対象部およびその順序を入力するための入力部をさらに備えることを特徴とする請求項５に記載の車両用照射装置。
【発明の詳細な説明】
【技術分野】
【０００１】
本発明は、車両用照射装置に関するものである。
【背景技術】
【０００２】
従来、ヘッドライトの消し忘れやシートベルトの未装着等に対する警告として、集光した光を照射する車内情報表示装置が提案されている（例えば、特許文献１参照）。特許文献１に記載された車内情報表示装置では、ヘッドライトを消し忘れている際にはヘッドライトの操作スイッチに対して光を照射し、シートベルトが装着されていない際にはシートベルトバックルに対して光を照射するように構成されている。
【先行技術文献】
【特許文献】
【０００３】
【特許文献１】特開２００８−１９５３７５号公報
【発明の概要】
【発明が解決しようとする課題】
【０００４】
特許文献１に記載された車内情報表示装置では、集光した光を照射することから、照射範囲が狭く、照射対象を指し示しやすい一方で照射対象の周辺が暗くなってしまう可能性がある。例えば搭乗者が照射対象を操作することにより大きな動作（後部座席を折り畳んだり起こしたりする動作等）が発生する場合、照射対象の周辺が暗いと、動作する部分と周辺の載置物とが干渉するか否かを目視で確認することが困難となり、操作の可否を搭乗者が判断しにくくなってしまう。
【０００５】
そこで、照射対象だけでなくその周辺にも光を照射するように、照射範囲を広くする方法が考えられる。しかしながら、他の操作可能な部位も照射範囲に含まれてしまう可能性があり、どの部位を指し示しているのかが不明確になってしまう可能性がある。
【０００６】
本発明の目的は、対象部を明確に指し示しつつ、その周辺の明るさを確保することができる車両用照射装置を提供することにある。
【課題を解決するための手段】
【０００７】
本願発明の車両用照射装置は、車室内の照射対象部に対して光を照射する第１照射部と、前記照射対象部を含みつつ前記第１照射部よりも広範囲に光を照射する第２照射部と、前記第１照射部および前記第２照射部を制御する制御部と、を備えることを特徴とする。
【発明の効果】
【０００８】
このような本願発明の車両用照射装置によれば、第１照射部によって照射対象部に対して光を照射することで、対象部を明確に指し示すことができる。このとき、第１照射部とは別体の第２照射部によって、照射対象部を含みつつ第１照射部よりも広範囲に光を照射することにより、対象部周辺の明るさを確保することができる。尚、第１照射部の光と第２照射部の光とは、搭乗者が区別可能であればよく、例えば光の強度差を所定値以上としたり、区別しやすい色を用いたり、第２照射部において連続点灯させつつ第１照射部において点滅させたりすればよい。また、第１照射部の照射範囲は、第２照射部の照射範囲に含まれていてもよいし、第１照射部の照射範囲のうち一部が、第２照射部の照射範囲の外側に位置してもよい。
【図面の簡単な説明】
【０００９】
【図１】本発明の実施形態に係る車両用照射装置を示すブロック図である。
【図２】前記車両用照射装置によって後部座席に光を照射する様子を示す斜視図である。
【図３】前記後部座席が操作された際に光を照射する様子を示す斜視図である。
【図４】前記後部座席がさらに操作された際に光を照射する様子を示す斜視図である。
【図５】前記車両用照射装置によって運転席周辺に光を照射する様子を示す斜視図である。
【図６】前記車両用照射装置によってスイッチに光を照射する様子を示す斜視図である。
【図７】前記スイッチが操作された際に光を照射する様子を示す斜視図である。
【発明を実施するための形態】
【００１０】
以下、本発明の実施形態を図面に基づいて説明する。本実施形態の車両用照射装置１は、車室内の所望の位置に光を照射するための装置であって、図１に示すように、第１照射部２と、第２照射部３と、制御部４と、記憶部５と、入力部６と、を備える。
【００１１】
第１照射部２は、車室内の照射対象部に対して光を照射するものであって、光源を備えるとともに所定方向に光を照射する照射部本体２１と、照射部本体２１の向きを変更する駆動部２２と、を有する。
【００１２】
照射部本体２１は、例えば赤緑青の三原色のＬＥＤを光源として備える。また、照射部本体２１の出射部には、照射光の形状や色を変更するためのフィルタを配置したり交換したりすることができるようになっていることが好ましい。また、照射部本体２１の出射部には、照射光の形状を変更するための液晶シャッタが設けられていてもよい。さらに、照射部本体２１には、照射範囲を変更するための絞りレンズが設けられていることが好ましい。
【００１３】
第１照射部２は、駆動部２２によって照射部本体２１の向きを変更することで照射方向を変更することができ、即ち、照射位置を可変に構成されている。さらに、上記のように照射部本体２１においてフィルタが交換可能な場合や液晶シャッタが設けられる場合には、照射形状や照射範囲が可変となる。また、上記のように照射部本体２１において絞りレンズが設けられている場合には、照射範囲が可変となる。
【００１４】
第２照射部３は、照射対象部を含みつつ第１照射部２よりも広範囲に光を照射するものであって、光源を備えるとともに所定方向に光を照射する照射部本体３１と、照射部本体３１の向きを変更する駆動部３２と、を有する。第２照射部３は、第１照射部２と同様に、照射位置を可変に構成されており、さらに、照射部本体３１にフィルタや液晶シャッタ、絞りレンズ等が設けられることで光の照射形状や照射範囲が可変に構成されていてもよい。尚、第１照射部２の照射範囲は、第２照射部３の照射範囲に含まれていてもよいし、第１照射部２の照射範囲のうち一部が、第２照射部３の照射範囲の外側に位置してもよい。
【００１５】
尚、既存の室内灯を第２照射部３として用いてもよい。即ち、車室内の複数箇所に設けられた室内灯のうち、照射対象部の近傍に位置するものを点灯させることにより、照射対象部を含む範囲に光を照射するようにしてもよい。また、室内灯とは別体の第２照射部３を設けてもよい。
【００１６】
また、第２照射部３は、搭乗者が第１照射部の照射光と区別可能な光を照射する。例えば、照射光の強度差を所定値以上としたり、互いに区別しやすい色を用いたり、第２照射部３において連続点灯させつつ第１照射部２において点滅させたりすればよい。
【００１７】
また、車両用照射装置１は、上記のような第１照射部２や第２照射部３をそれぞれ複数備えていてもよい。例えば、車両用照射装置１が、車室内の前方側に配置された照射対象部に対して光を照射するための第１照射部２および第２照射部３と、後方側に配置された照射対象部に対して光を照射するための第１照射部２および第２照射部３と、を独立に備えていてもよい。
【００１８】
制御部４は、第１照射部２および第２照射部３を制御するためのものである。例えばＥＣＵ（engine control unit）や車載部品内蔵のマイクロコンピュータ（メータＥＣＵ等）の既存のコンピュータを制御部４として用いてもよいし、車両用照射装置１専用のコンピュータを設けて制御部４としてもよい。
【００１９】
記憶部５は、複数の照射対象部およびその順序を記憶するものであって、例えばハードディスクや不揮発性メモリ等で構成される。
【００２０】
入力部６は、複数の照射対象部およびその順序を入力するためのものであって、例えばカーナビゲーション装置の表示部（タッチパネル）であってもよいし、音声入力用のマイクであってもよく、入力方法は限定されない。
【００２１】
ここで、具体的な照射対象部および光の照射方法について、複数の実施例を挙げて説明する。
【００２２】
［第１実施例］
本実施例では、図２〜４に示すように、後部座席Ｓの背もたれ部Ｓ１が畳まれた状態から着座可能状態（背もたれ部が起きた状態）となるような操作において、後部座席の各部を照射対象部として光を照射する。背もたれ部Ｓ１を起こすためには、背もたれ部Ｓ１の側端面に設けられたロック解除部Ｓ２を操作する必要がある。次に、背もたれ部Ｓ１の頭部Ｓ３を把持し、背もたれ部Ｓ１を引き上げる。最後に、背もたれ部Ｓ１が着座可能状態においてロックされているか否かを確認する。
【００２３】
まず、図２に示すように背もたれ部Ｓ１が畳まれた状態においては、ロック解除部Ｓ２を照射対象部とし、第１照射部２によって光を照射する。このとき、ロック解除部Ｓ２のみを照射するように照射範囲を絞る。また、ロック解除部Ｓ２が充分な大きさを有している場合には、解除操作を示す文字列（「ＰＵＬＬ」や「ＰＵＳＨ」等）の形状の光を照射してもよいし、解除操作を示す矢印等の形状の光を照射してもよい。
【００２４】
次に、ロック解除部Ｓ２が解除操作されたら、図３に示すように、頭部Ｓ３を照射対象部とし、第１照射部２によって光を照射する。このとき、背もたれ部Ｓ１を引き上げる操作を示す文字列（「ＰＵＬＬ」）の形状の光を照射する。尚、文字列の形状の光のみを照射してもよいし、所定範囲を照らす光を照射し、この所定範囲内に文字列を表示させてもよい。また、頭部Ｓ３を照射対象部とする場合には、ロック解除部Ｓ２を照射対象部とする場合よりも、照射範囲を広くする。
【００２５】
さらに、背もたれ部Ｓ１の引き上げが完了したら、図４に示すように、座面部Ｓ４の上面を照射対象とし、第１照射部２によって光を照射する。このとき、背もたれ部Ｓ１がロックされているか否かを確認することを促す文字列（「ＣＨＥＣＫ」および「ＬＯＣＫ」）の形状の光を照射する。尚、文字列の形状の光のみを照射してもよいし、所定範囲を照らす光を照射し、この所定範囲内に文字列を表示させてもよい。
【００２６】
尚、ロック解除部Ｓ２の解除操作や背もたれ部Ｓ１の引き上げ操作が完了したか否かについては、各部に検知部を設けることで判断すればよい。また、座面部Ｓ４の上面を照射対象とした光の照射は、ロックの確認に要する標準的な時間程度、継続すればよい。
【００２７】
また、図２〜４では、第２照射部３が照射する光は図示していないが、第２照射部３は、例えば後部座席Ｓ全体およびその周辺を含むように、常に一定の範囲に対して光を照射する。
【００２８】
以上のように、本実施例では、照射対象部がロック解除部Ｓ２、頭部Ｓ３および座面部Ｓ４の上面の順で変化するとともに、第１照射部２の光の照射形状と照射位置と照射範囲とが可変となっている。また、記憶部５には、ロック解除部Ｓ２と頭部Ｓ３と座面部Ｓ４の上面とを照射対象部とし、この順序で照射することが記憶されている。また、制御部４は、第１照射部２によって光が照射された照射対象部に対して所定の操作がなされた際に、次の照射対象部に切り換えて第１照射部２に光を照射させる。
【００２９】
［第２実施例］
本実施例では、図５に示すように、運転者が車両Ｃに乗り込んでから発進するまでの間に運転者が視認または操作する部分を照射対象部として光を照射する。まず、運転席Ｓ０側の扉体が開操作されて運転者が乗り込む際には、運転席Ｓ０の足元近傍の領域Ａ１を照射対象部とし、第１照射部２によって光を照射する。
【００３０】
運転者が運転席Ｓ０に着座したら、領域Ａ１への照射を停止し、シートベルトに関する部分を照射対象部とし、第１照射部２によって光を照射する。尚、シートベルトに関する部分とは、シートベルトバックルＢであってもよいし、シートベルト位置に対応した部分（たすき状の線Ｌ１および腰部に位置する線）であってもよい。また、シートベルト位置に対応した部分に光を照射する場合には、左右一方の肩部から他方の腰部にかけて照射位置を移動させることにより、シートベルトを締める動作を模擬してもよい。
【００３１】
運転者がシートベルトを締めたら、シートベルトに関する部分への照射を停止し、車両Ｃにおいて駆動源（エンジンやモータ）を始動させるためのスタートスイッチＳＴを照射対象部とし、第１照射部２によって光を照射する。スタートスイッチＳＴが操作されたら、スタートスイッチＳＴへの照射を停止し、シフトレバーＳＨを照射対象部とし、第１照射部２によって光を照射する。シフトレバーＳＨが操作されてパーキングレンジ以外に変更されたら、シフトレバーＳＨへの照射を停止する。
【００３２】
尚、本実施例では、運転席Ｓ０およびシートベルトバックルＢにセンサが設けられており、各部の操作が検知されるようになっている。また、シートベルトに関する部分への照射と、スタートスイッチＳＴへの照射と、は順番が入れ替えられてもよい。
【００３３】
また、上記のように照射対象部が切り換えられる際に、第２照射部３は、全ての照射対象部およびその周辺を含むように、常に一定の範囲に対して光を照射してもよいし、照射対象部の切り換えに応じて照射範囲を移動させたり照射範囲を変更したりしてもよい。
【００３４】
また、運転者が入力部６にキャンセル指令を入力することにより、上記のような光の照射が中断されるように構成されていてもよい。
【００３５】
以上のように、本実施例では、照射対象部が領域Ａ１、シートベルトに関する部分、スタートスイッチＳＴおよびシフトレバーＳＨの順で変化するとともに、第１照射部２の光の照射形状と照射位置と照射範囲とが可変となっている。また、記憶部５には、領域Ａ１とシートベルトに関する部分とスタートスイッチＳＴとシフトレバーＳＨとを照射対象部とし、この順序で照射することが記憶されている。また、制御部４は、第１照射部２によって光が照射された照射対象部に対して所定の操作がなされた際に、次の照射対象部に切り換えて第１照射部２に光を照射させる。
【００３６】
［第３実施例］
本実施例では、図６、７に示すように、エアコン等のスイッチＳＷを照射対象部として光を照射する。図６、７では回転式のスイッチＳＷを例示しているが、他の形状のスイッチであってもよく、後述するように第１照射部２の照射位置を移動させる際には、スイッチ操作の態様やスイッチ形状に応じた動きとすればよい。
【００３７】
制御部４が、搭乗者が車室内の温度調節をしようとしていることを検知した際には、スイッチＳＷを照射対象部として第１照射部２および第２照射部３によって光を照射する。尚、搭乗者が車室内の温度調節をしようとしているか否かは、例えば窓の開閉操作に基づいて判断してもよいし、車室内の温度に基づいて判断してもよいし、過去の温度調節履歴に基づいて判断してもよい。
【００３８】
本実施例では、スイッチＳＷを時計回りに回転させてエアコンの設定温度を上昇させようとしているものとし、第１照射部２の照射光ＬＴ１と第２照射部３の照射範囲ＬＴ２とを図示する。操作の初期段階では、図６に示すように、右向きの矢印形状の照射光ＬＴ１を左から右に移動させることで、搭乗者に対して操作方向を伝える。さらに操作を続ける場合には、図７に示すように、右向きの矢印形状から下向きの矢印形状に切り換える。さらに操作を続ける場合には、矢印形状の照射光ＬＴ１を周回させてもよい。尚、矢印の移動方向は、左右方向や上下方向に限定されず、円周に沿った方向であってもよい。
【００３９】
搭乗者がスイッチＳＷを操作した場合、操作を受け付けたことを示すために、照射光ＬＴ１の色や形状、大きさを変更したり、点滅させたりしてもよい。また、搭乗者がスイッチＳＷを誤って逆方向に回転させた場合には、照射光ＬＴ１の色を、正方向に回転させた場合とは異なる色に変更してもよい。
【００４０】
また、調節用のスイッチに対し、その調節結果を入力するための決定スイッチや、キャンセルするためのキャンセルスイッチが設けられている場合には、決定スイッチの操作やキャンセルスイッチの操作に応じて照射光ＬＴ１の色や形状、大きさを変更したり、点滅させたりしてもよい。例えば、決定スイッチが操作された場合には、照射光ＬＴ１を１回点滅させ、キャンセルスイッチが操作された場合には、照射光ＬＴ１を２回点滅させてもよい。
【００４１】
このような本実施形態によれば、以下のような効果がある。即ち、第１照射部２によって照射対象部に対して光を照射することで、対象部を明確に指し示すことができる。このとき、第１照射部２とは別体の第２照射部３によって、照射対象部を含みつつ第１照射部２よりも広範囲に光を照射することにより、対象部周辺の明るさを確保することができる。
【００４２】
また、第１照射部２が、光を照射しつつ照射形状と照射位置と照射範囲とが可変に構成され、操作内容に応じてこれらを適宜に変化させることで、照射対象部の操作方法等を搭乗者に示しやすくすることができる。
【００４３】
また、記憶部５に照射対象部の順序が記憶され、第１照射部２によって光が照射された照射対象部に対して所定の操作がなされた際に、次の照射対象部に切り換えて第１照射部２に光を照射させることで、操作の順序を搭乗者に示すことができる。このとき、文字にではなく照射順序によって示すことから、搭乗者が直感的に理解しやすい。また、複数の照射対象部に対して順次光が照射されることから、演出性を向上させることができる。
【００４４】
また、複数の照射対象部およびその順序を入力するための入力部６が設けられていることで、搭乗者が照射対象部および順序を適宜に設定することができる。これにより、例えば搭乗者が不要と考える（操作方法や操作すること自体を忘れにくい）部分を照射対象部から除外したり、搭乗者が操作方法または操作すること自体を忘れやすい部分や、操作方法が複雑な部分を照射対象として設定したりすることができる。即ち、個別の搭乗者に対応した柔軟な使用方法を提供することができる。
【００４５】
なお、本発明は、前記実施形態に限定されるものではなく、本発明の目的が達成できる他の構成等を含み、以下に示すような変形等も本発明に含まれる。
【００４６】
例えば、前記実施形態では、第１照射部２が、光を照射しつつ照射形状と照射位置と照射範囲とを可変に構成されているものとしたが、これらのうち１つのみが可変であってもよい。また、第１照射部２は、照射対象部の形状に応じて色分けするように光を照射してもよい。例えば、プッシュスイッチを照射対象部とする際、スイッチ本体とその周囲とで色が異なるように光を照射してもよい。
【００４７】
また、第１照射部２は、前記第１〜第３実施例とは異なる演出で光を照射してもよい。例えば、時間の経過とともに照射範囲を徐々に絞り込んでいくことで照射対象部を指し示してもよいし、絵や図柄、キャラクター等を模した光を照射してもよい。
【００４８】
また、例えば１つの照射対象部のみに光を照射する場合や、照射対象部における操作が単純である場合、照射対象部の形状が単純である場合等には、第１照射部の照射形状と照射位置と照射範囲とが一定であってもよい。
【００４９】
また、前記実施形態では、記憶部５に照射対象部の順序が記憶され、第１照射部２によって光が照射された照射対象部に対して所定の操作がなされた際に、次の照射対象部に切り換えて第１照射部２に光を照射させるものとしたが、複数の操作対象部に対し、同時に光を照射してもよい。また、複数の照射対象部が独立に（順不同で）設定されていてもよい。
【００５０】
また、前記実施形態では、複数の照射対象部およびその順序を入力するための入力部６が設けられているものとしたが、入力部は省略されていてもよい。このような構成によれば、搭乗者が照射対象部を省略しすぎてしまうことを抑制することができる。また、入力部を省略すれば低コスト化することができる。
【００５１】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００５２】
１   車両用照射装置
２   第２照射部
３   第２照射部
４   制御部
５   記憶部
６   入力部
【図１】
2020121609.tif 000003
【図２】
2020121609.tif 000004
【図３】
2020121609.tif 000005
【図４】
2020121609.tif 000006
【図５】
2020121609.tif 000007
【図６】
2020121609.tif 000008
【図７】
2020121609.tif 000009